(57)【要約】【課題】  既存建物の上部の未利用容積部分に増築建物を構築する。【解決手段】  既存建物の上部に構築した増築建物を、既存建物に隣接する支持構造物から張り出させた吊構造支持部に吊設する工法であり、既存建物に隣接して支持構造物を構築する支持構造物の構築工程と、支持構造物の構築工程で構築した支持構造物から既存建物の上部に水平に張り出る吊構造支持部を構築する吊構造支持部の構築工程と、吊構造支持部の構築工程で構築した吊構造支持部から、吊材を介して吊床を順次下方に送り出すことによって、既存建物に向かって順次増床し、既存建物の上部空間に吊構造支持部によって吊設された増築建物を構築する増築建物の構築工程と、増築建物の構築工程によって構築された増築建物の下部と既存建物の上部との間を連結する既存建物と増築建物との連結工程とを備える。【選択図】      図１
2010163869.tif 000002
【特許請求の範囲】
【請求項１】
既存建物の上部に増築建物を構築する既存建物の上部増床工法であって、
前記既存建物の上部に構築した増築建物を、前記既存建物に隣接する支持構造物から張り出させた吊構造支持部に吊設する工法であり、
前記既存建物に隣接して支持構造物を構築する支持構造物の構築工程と、
該支持構造物の構築工程で構築した支持構造物から前記既存建物の上部に水平に張り出る前記吊構造支持部を構築する吊構造支持部の構築工程と、
該吊構造支持部の構築工程で構築した吊構造支持部から、吊材を介して吊床を順次下方に送り出すことによって、前記既存建物に向かって順次増床し、前記既存建物の上部空間に前記吊構造支持部によって吊設された前記増築建物を構築する増築建物の構築工程と、
該増築建物の構築工程によって構築された増築建物の下部と前記既存建物の上部との間を連結する既存建物と増築建物との連結工程とを備えていることを特徴とする既存建物の上部増床工法。
【請求項２】
前記吊構造支持部の構築工程において、前記支持構造物の構築工程で構築した支持構造物の上部に前記吊構造支持部を構築し、該吊構造支持部を前記既存建物の上方まで延出させることを特徴とする請求項１に記載の既存建物の上部増床工法。
【請求項３】
前記吊構造支持部は、メガストラクチャー構造であることを特徴とする請求項１又は２に記載の既存建物の上部増床工法。
【請求項４】
前記吊構造支持部は、トラス構造、又は、可変形状トラス構造であることを特徴とする請求項１〜３のいずれか１項に記載の既存建物の上部増床工法。
【請求項５】
前記吊構造支持部の内部を、居住空間、又はオフィス空間と兼用することを特徴とする求項１〜４のいずれか１項に記載の既存建物の上部増床工法。
【発明の詳細な説明】
【技術分野】
【０００１】
本発明は、既存建物の上部増床工法に関し、特に、都心部等の表通りに面する既存建物の未利用容積分の空間を有効に利用することができるとともに、街区の再開発、ヒートアイランド対策等の事業を行うのに有効な既存建物の上部増床工法に関する。
【背景技術】
【０００２】
一般に、都心部等の表通りに面している既存建物は、未利用の容積を有していることが多く、この未利用の容積空間を有効に利用することが望まれている。既存建物の未利用の容積空間を有効利用する方法としては、「既存建物の上部に増築する」、「既存建物を地下躯体を残して建替える」、「既存建物を全面建替えする」、「既存建物を隣接地等と一緒に協同建替えする」等の方法がある。
【０００３】
これらの方法のうち、既存建物の上部に増築する方法は、増築部分の荷重を下部の既存建物で受けるため、下部の既存建物を補強する必要が生じ、既存建物の１階部分の利用面積が減少してしまう。この場合、利用面積の減少の問題をなくすため、増築部分を支持する柱を既存建物の周囲に立てる方法もあるが、建物が密集している都心部等においては、スペースを確保することが困難であるため、実施が不可能である。
【０００４】
また、地下躯体を残して建替える方法は、その地下躯体の信用度を確かめたり、地下の補強をすることが困難であるため、１階や地下部分の利用が制約されてしまう。
【０００５】
さらに、既存建物を全面建替えする方法は、建物が密集している都心部等では、地下躯体を構築することが難しため、全面建替えが困難になる。
【０００６】
さらに、協同建替えする方法は、複数の建物や地権者が存在する場合に、調整に時間や手間がかかる。
【０００７】
さらに、地区レベルで上記のような事業を行う場合には、一旦、全ての居住者を移住させて、全ての建物を撤去しなければならないため、個々人の状況や個々の建物の状況により調整に非常に時間がかかり、また、耐用性のある建物をも撤去しなければならないため、無駄が生じてしまう。
【０００８】
一方、上記のような問題に対処するため、市街地の既存建物を跨ぐ人工地盤を構築し、この人工地盤の上部に建替建物を構築し、建替建物が完成した後に既存建物から建替建物に移住し、この後に既存建物を解体し、既存建物の跡地に建替え建物を増築するように構成した建替工法が提案されている（例えば、特許文献１参照。）。
【先行技術文献】
【特許文献】
【０００９】
【特許文献１】特許第３３５０８０２号公報
【発明の概要】
【発明が解決しようとする課題】
【００１０】
しかし、上記のような建替工法にあっては、市街地の既存の建物を跨ぐ大掛かりな人工地盤を構築しなければならないため、都心部等の建物が密集している地区においては人工地盤を支持する支柱の立設が困難になるため、適用可能な範囲が制限されてしまう。
【００１１】
本発明は、上記のような従来の問題に鑑みなされたものであって、都心部等の建物が密集している地区においても、既存の建物上部の未利用の容積部分に容易に増築建物を構築することができるとともに、街区全体の再開発、ヒートアイランド対策等を実施する場合に、居住したままの状態で再開発、ヒートアイランド対策を実施することができる、既存建物の上部増床工法を提供することを目的とする。
【課題を解決するための手段】
【００１２】
主たる解決手段は、既存建物の上部に増築建物を構築する既存建物の上部増床工法であって、前記既存建物の上部に構築した増築建物を、前記既存建物に隣接する支持構造物から張り出させた吊構造支持部に吊設する工法であり、前記既存建物に隣接して支持構造物を構築する支持構造物の構築工程と、該支持構造物の構築工程で構築した支持構造物から前記既存建物の上部に水平に張り出る前記吊構造支持部を構築する吊構造支持部の構築工程と、該吊構造支持部の構築工程で構築した吊構造支持部から、吊材を介して吊床を順次下方に送り出すことによって、前記既存建物に向かって順次増床し、前記既存建物の上部空間に前記吊構造支持部によって吊設された前記増築建物を構築する増築建物の構築工程と、該増築建物の構築工程によって構築された増築建物の下部と前記既存建物の上部との間を連結する既存建物と増築建物との連結工程とを備えていることを特徴とする既存建物の上部増床工法、である。
【発明の効果】
【００１３】
本発明の既存建物の上部増床工法によれば、既存建物を撤去することなく、既存建物の上部に増築建物を構築することができるので、大規模の地下躯体の再構築が困難な既存建物であっても、既存建物の未利用容積部分を有効に利用することができる。従って、都心部等の表通りに面している既存建物の増床に有効に利用することができる。
【００１４】
また、既存街区に適用することにより、既存建物を撤去することなく、既存建物に居住したままの状態で、人工地盤を構築することができ、この人工地盤を利用することにより、既存建物の上部に増築建物を構築したり、人工地盤の上部に公園等の緑化施設を構築したりすることができ、既存街区の再開発、ヒートアイランド対策等を行うことができ、環境保全に貢献できる街づくりを行うことができる。
【図面の簡単な説明】
【００１５】
【図１】本発明による既存建物の上部増床工法の第１の実施の形態を示した説明図である。
【図２】本発明による既存建物の上部増床工法の第２の実施の形態を示した説明図である。
【図３】本発明による既存建物の上部増床工法の第３の実施の形態を示した説明図である。
【図４】本発明による既存建物の上部増床工法の第４の実施の形態を示した説明図である。
【図５】本発明による既存建物の上部増床工法の第５の実施の形態を示した説明図である。
【図６】本発明による既存建物の上部増床工法の第６の実施の形態を示した説明図である。
【発明を実施するための形態】
【００１６】
以下、図面に示す本発明の実施の形態について説明する。  
なお、本明細書及び添付図面には、少なくとも以下の事項が開示されている。
【００１７】
第１事項は、既存建物の上部に増築建物を構築する既存建物の上部増床工法であって、前記既存建物の上部に構築した増築建物を、前記既存建物に隣接する支持構造物から張り出させた吊構造支持部に吊設することを特徴とする。
本事項による既存建物の上部増床工法によれば、既存建物の上部に構築した増築建物は、既存建物に隣接する支持構造物から張り出た吊構造支持部に吊設されることになる。
【００１８】
また、第２事項は、第１事項に記載の既存建物の上部増床工法であって、前記既存建物に隣接して支持構造物を構築する支持構造物の構築工程と、該支持構造物の構築工程で構築した支持構造物から前記既存建物の上部に張り出る前記吊構造支持部を構築する吊構造支持部の構築工程と、該吊構造支持部の構築工程で構築した吊構造支持部から前記既存建物に向かって順次増床し、前記既存建物の上部空間に前記吊構造支持部によって吊設された前記増築建物を構築する増築建物の構築工程と、該増築建物の構築工程によって構築された増築建物の下部と前記既存建物の上部との間を連結する既存建物と増築建物との連結工程とを備えていることを特徴とする。
本事項による既存建物の上部増床工法によれば、支持構造物の構築工程において、既存建物に隣接する部分に支持構造物が構築され、吊構造支持部の構築工程において、支持構造物から既存建物の上部に張り出る吊構造支持部が構築される。そして、増築建物の構築工程において、吊構造支持部から既存建物の上部に向かって順次増床されて、吊構造支持部に吊設された状態で増築構造物が構築され、既存建物と増築建物との連結工程において、増築建物と既存建物との間が連結され、既存建物の未利用空間に増築建物が構築されることになる。
【００１９】
さらに、第３事項は、第２事項に記載の既存建物の上部増床工法であって、前記吊構造支持部の構築工程において、前記支持構造物の構築工程で構築した支持構造物の上部に前記吊構造支持部を構築し、該吊構造支持部を前記既存建物の上方まで延出させることを特徴とする。
本事項による既存建物の上部増床工法によれば、吊構造支持部の構築工程において、支持構造物の構築工程で構築した支持構造物の上部に吊構造支持部が構築され、この吊構造支持部が既存建物の上方まで延出され、この吊構造支持部に吊設された状態で増築構造物が構築される。
【００２０】
さらに、第４事項は、第２又は第３事項に記載の既存建物の上部増床工法であって、前記既存建物と増築建物との連結工程の後に、前記既存建物を撤去する既存建物の撤去工程と、該既存建物の撤去工程で撤去した前記既存建物の跡地に建替建物を構築する建替建物の構築工程とを備えていることを特徴とする。
本事項による既存建物の上部増床工法によれば、既存建物の撤去工程において、耐用年数の経過によって撤去する必要が生じた既存建物が撤去される。そして、建替建物の構築工程において、既存建物が撤去された跡地に建替建物が構築されることになる。
【００２１】
さらに、第５事項は、第２又は第３事項に記載の既存建物の上部増床工法であって、前記既存建物と増築建物との連結工程の後に、既存建物を上部から下部に向かって順次解体し、既存建物の解体に追従して増築建物を下方に延ばして、増築建物を再構築する既存建物の撤去・増築建物の再増築工程を備えていることを特徴とする。
本事項による既存建物の上部増床工法によれば、既存建物の撤去・増築建物の再構築工程において、耐用年数の経過によって撤去する必要が生じた既存建物が上部から順次解体されるとともに、既存建物の解体に追従して増築建物が下方に向かって順次増床され、増築建物の先端が地上に到達することになる。
【００２２】
さらに、第６事項は、第２又は第３事項に記載の既存建物の上部増床工法であって、前記既存建物と増築建物との連結工程の後に、既存建物の撤去工程、吊構造支持部及び増築建物の降下工程、吊構造支持部の再構築工程、増築建物の再構築工程とを備えていることを特徴とする。
本事項による既存建物の上部増床工法によれば、既存建物の撤去工程において既存建物を撤去した後に、吊構造支持部及び増築建物の降下工程において、既存建物の跡地に吊構造支持部及び増築建物が一体となって降下する。そして、吊構造支持部の再構築工程、増築建物の再構築工程において、支持構造物の上部に吊構造支持部が構築され、この吊構造支持部に吊設された状態で増築建物が再構築されることになる。
【００２３】
さらに、第７事項は、第２事項から第６事項の何れかに記載の既存建物の上部増床工法であって、前記増築建物の構築工程は、下方から上方に向かって順次増床させて増築建物を構築することを特徴とする。
本事項による既存建物の上部増床工法によれば、増築建物の構築工程において、下方から上方に向かって順次増床されて、吊構造支持部に吊設された増築構造物が構築されることになる。
【００２４】
さらに、第８事項は、第１事項から第７事項の何れかに記載の既存建物の上部増床工法であって、前記既存建物と前記支持構造物との間又は前記既存建物と前記増築建物との間の少なくとも何れか一方に制振装置を介装させたことを特徴とする。
本事項による既存建物の上部増床工法によれば、既存建物と支持構造物との間又は既存建物と増築建物との間の少なくとも一方に介装させた制振装置により、既存建物、支持構造物、及び増築建物が制振されることになる。
【００２５】
さらに、第９事項は、第１事項から第８事項に記載の既存建物の上部増床工法における吊構造支持部を人工地盤とすることを特徴とする。
本事項による既存建物の上部増床工法によれば、既存街区の既存建物に隣接して支持構造物を構築し、この支持構造物に既存建物の上部に張り出る吊構造支持部を構築し、この吊り構造支持部を既存街区を覆う人工地盤とすることにより、既存建物の上部に吊構造支持部に吊設された増築建物を構築することができる。
【００２６】
さらに、第１０事項は、第９事項に記載の既存建物の上部増床工法であって、前記人工地盤の上部に、公園、庭園等の緑化施設を構築することを特徴とする。
本事項による既存建物の上部増床工法によれば、既存街区全体を覆う人工地盤の上部に公園、緑化施設を構築することにより、ヒートアイランド対策等を施すことができる。
【００２７】
図１には、本発明による既存建物の上部増床工法の第１の実施の形態が示されていて、この既存建物の上部増床方法は、都心部等の表通りに面している既存建物の未利用容積分の空間を利用して増築建物を構築するのに有効な工法であって、支持構造物の構築工程と、吊構造支持部の構築工程と、増築建物の構築工程と、増築建物と既存建物との連結工程とを備えている。
【００２８】
（１）支持構造物の構築工程
支持構造物の構築工程は、都心部等の表通りに面している既存建物１に隣接する部分に支持構造物２を構築する工程であって、図１（ａ）に示すように、既存建物１に隣接する部分に既存建物１よりも高層のメグストラクチャー構造の支持構造物２を構築する。
【００２９】
一般に、都心部等の表通りに面している既存建物１に隣接する部分、例えば、既存建物１の裏側の裏通りに面する部分等には、低密度の建物や時間貸し駐車場等の施設があることが多く、これらの建物や施設は容易に撤去することが可能であり、その撤去後の跡地に大掛かりな地下躯体を構築することも可能であるので、その撤去後の跡地に支持構造物２を構築する。なお、既存建物１に隣接する部分が空き地になっている場合には、そのまま支持構造物２を構築すればよい。
【００３０】
支持構造物２は、梁、柱等を組み合わせて構成したメガストラクチャー構造であって、低密度の建物等を撤去した跡地に地下躯体を構築し、その地下躯体を基礎として既存建物１よりも高層の支持構造物２を構築する。
【００３１】
支持構造物２は、後述する吊構造支持部３及び吊構造支持部３に吊設される増築建物６を支持するための支柱としてのみ使用してもよいし、居住用空間、オフィス用空間等と兼用してもよいし、階段、エレベーターシャフト等と兼用してもよい。支持構造物２は、１棟に限らず、２棟以上としてもよい。
【００３２】
（２）吊構造支持部の構築工程
吊構造支持部の構築工程は、支持構造物の構築工程で構築した支持構造物２から既存建物１の上部に張り出る吊構造支持部３を構築する工程であって、例えば、図１（ｂ）、（ｃ）に示すように、支持構造物２の上部に吊構造支持部３を水平に構築し、吊構造支持部３の両端部を支持構造物２を中心として外方に延出させ、既存建物１の上方まで延出させる。
【００３３】
この場合、支持構造物２の上部において、吊構造支持部３に吊材４を介して所定数の吊床５を取り付け、吊構造支持部３の両端部を支持構造物２から外方に延出させる際に、吊構造支持部３と一緒に吊床４及び吊材４を外方に送り出し、既存建物１の上方の所定の位置に位置決めする。
【００３４】
吊構造支持部３は、梁、柱、ブレース等を組み合わせて構成したメガストラクチャー構造であって、この吊構造支持部３の両端部に既存建物１の上部に構築される増築建物６が吊設される。吊構造支持部３としては、増築建物６を吊設できる構造ものであれば特に制限はなく、例えば、トラス構造、可変形状トラス（Ｖａｒｉａｂｌｅ  Ｇｅｏｍｅｔｒｙ  Ｔｒｕｓｓ）構造等が挙げられる。吊構造支持部３は、増築建物６を支持する用途のみに使用してもよいし、吊構造支持部３の内部を居住空間、オフィス空間等と兼用してもよい。
【００３５】
なお、吊構造支持部３は、建替建物２の高さ方向の途中部分に設けてもよいし、工場等で製作した後に、支持構造物２の上部、途中部分に設けてもよい。
【００３６】
（３）増築建物の構築工程
増築建物の構築工程は、図１（ｄ）に示すように、吊構造支持部の構築工程で構築した吊構造支持部３の両端部に吊材４を介して取り付けた吊床５を順次下方に送り出し、吊構造支持３から既存建物１の上部に向かって所定の間隔ごとに吊床５を設置し、既存建物１の上部に複数階層の増築建物６を構築する。
【００３７】
（４）増築建物と既存建物との連結工程
増築建物と既存建物との連結工程は、図１（ｅ）に示すように、吊構造支持部３の両端に吊設した増築建物６の下部と、増築建物６の下方に位置する既存建物１の上部との間を連結する工程であって、両建物６、１間を柱、梁、ブレース等を介して連結する。この場合、両建物６、１間の連結部に必要に応じて、既存建物１の上部と増築建物６の下部との間を連結する階段等を設置する。
【００３８】
そして、上述した支持構造物の構築工程、吊構造支持部の構築工程、増築建物の構築工程、及び増築建物と既存建物との連結工程を経ることにより、既存建物１を撤去することなく、既存建物１を使用したままの状態で、既存建物１の上部の未利用容積分の空間に増築建物６を構築することができる。
【００３９】
図２には、本発明による既存建物の上部増床工法の第２の実施の形態が示されていて、この既存建物の上部増床工法は、第１の実施の形態による既存建物の上部増床工法の４つの工程（支持構造物の構築工程、吊構造支持部の構築工程、増築建物の構築工程、及び増築建物と既存建物との連結工程）の後に、既存建物１を撤去する既存建物の撤去工程、及び既存建物１の撤去後の跡地に建替建物７を構築する建替建物の構築工程を備えたものであって、その他の構成は前記第１の実施の形態に示すものと同様であるので、第１の実施の形態と異なる部分についてのみ説明する。
【００４０】
（５）既存建物の撤去工程
既存建物の撤去工程は、図２（ａ）に示すように、既存建物１の上部に増築建物６を構築し、既存建物１と増築建物６とを連結した後に、図２（ｂ）に示すように、耐用年数が経過したこと等を理由として既存建物１を撤去する工程であって、既存建物１の地下躯体を残して既存建物１の地上部の全体を解体し、撤去する。
【００４１】
都心部等の表通りに面している部分には、建築基準に合致した優良建物が密集しており、これらの建物は当面の使用には何ら問題はないが、耐用年数の経過によって建替えの必要性が生じることがあり、そのような場合に有効に適用することができる。優良建物の地下躯体は、そのままでも強度的には問題はなく、十分に使用することができるので、その地下躯体を利用して既存建物１の撤去後の跡地に建替建物７を構築する。
【００４２】
（６）建替建物の構築工程
建替建物の構築工程は、図２（ｃ）に示すように、既存建物１の地上部を撤去した後の跡地に、既存建物１の地下躯体を基礎とする建替建物７を、その上方に位置している増築建物６に向かって構築し、建替建物７の構築後に、建替建物７の上部と増築建物６の下部との間を連結する。  
このようにして、既存建物の撤去工程、及び建替建物の構築工程を経ることにより、既存建物１を、地下躯体を再構築することなく、建替えることができる。
【００４３】
図３には、本発明による既存建物の上部増床工法の第３の実施の形態が示されていて、この既存建物の上部増床工法は、第１の実施の形態の既存建物の上部増床工法の４つの工程（支持構造物の構築工程、吊構造支持部の構築工程、増築建物の構築工程、及び増築建物と既存建物との連結工程）の後に、既存建物の撤去・増築建物の再増築工程を備えたものであって、その他の構成は前記第１の実施の形態に示すものと同様であるので、第１の実施の形態と異なる部分についてのみ説明する。
【００４４】
（７）既存建物の撤去・増築建物の再増築工程
既存建物の撤去・増築建物の再増築工程は、既存建物１の上部に増築建物６を構築し、既存建物１と増築建物６とを連結した後に、耐用年数が経過したこと等を理由として既存建物１を撤去する際に、図３（ａ）、（ｂ）に示すように、既存建物１を上部から下部向かって順次解体し、既存建物１の解体に追従して増築建物２を下方に延ばし、既存建物１を撤去した跡地に増築建物６の先端（下端部）を到達させる。
【００４５】
このようにして、既存建物１を解体しながら、増築建物６を地上に向けて順次延ばしていくことにより、既存建物１の跡地に吊構造支持部３に吊設された増築建物６を構築することができる。
【００４６】
図４には、本発明による既存建物の上部増床工法の第４の実施の形態が示されていて、この既存建物の上部増床工法は、第１の実施の形態の既存建物の上部増床工法の４つの工程（支持構造物の構築工程、吊構造支持部の構築工程、増築建物の構築工程、及び増築建物と既存建物との連結工程）の後に、既存建物の撤去工程、吊構造支持部及び増築建物の降下工程、吊構造支持部の再構築工程、増築建物の再構築工程とを備えたものであって、その他の構成は前記第１の実施の形態に示すものと同様であるので、第１の実施の形態と異なる部分についてのみ説明する。
【００４７】
（８）既存建物の撤去工程
既存建物の撤去工程は、第２実施の形態の既存建物の撤去工程と同一の工程であって、既存建物１の上部に増築建物６を構築し、既存建物１と増築建物６とを連結した後に、図４（ａ）に示すように、耐用年数が経過したこと等を理由として既存建物１を撤去する。この場合にも、第２の実施の形態と同様に、既存建物１の地下躯体を残して既存建物１の地上部の全体を解体し、撤去する。
【００４８】
（９）吊構造支持部及び増築建物の降下工程
この工程では、図４（ｂ）に示すように、吊構造支持部３と増築建物６とを一体として降下させ、増築建物６を既存建物１の撤去後の跡地に到達させる。この場合、吊構造支持部３及び増築建物６は、吊材４によって支持構造物２の上部に支持されたままの状態とする。
【００４９】
（１０）吊り構造支持部の再構築工程、増築建物の再構築工程
この工程では、図４（ｃ）に示すように、支持構造物２の上部に、吊構造支持部３を再構築し、この吊構造支持部３の両端部に増築建物６を再構築して吊設する。この場合、上側の増築建物６と下側の増築建物６との間を吊構造支持部３を介して相互に連結してもよい。  
なお、前記各実施の形態においては、支持構造物２から両側に吊構造支持部３を延出させたが、複数方向に延出させてもよいし、片側のみに延出させてもよい。
【００５０】
図５には、本発明による既存建物の上部増床工法の第５の実施の形態が示されていて、この既存建物の上部増床工法は、第１の実施の形態の既存建物の上部増床工法の４つの工程（支持構造物の構築工程、吊構造支持部の構築工程、増築建物の構築工程、及び増築建物と既存建物との連結工程）を備え、増築建物の構築工程において、下方から上方に向かって順次増床させて増築建物を構築するように構成したものであって、その他の構成は前記第１の実施の形態に示すものと同様である。
【００５１】
すなわち、この増築建物の構築工程においては、図５（ｂ）〜（ｅ）に示すように、吊構造支持部３に吊材４を介して吊床５を吊設し、この吊床５を既存建物２の上方の所定の位置に最下層として位置決めし、この吊床５から上方に向かって順次各階層を構築し、既存建物２の上部に所定階層の増築建物６を構築する。増築建物６の構造形式としては、メガトラス、フィーレンデールトラス等の構造を採用することができる。
【００５２】
そして、増築建物６を構築した後に、図５（ｆ）に示すように、既存建物１と増築建物６との間を連結する。この場合、必要に応じて、両建物１、６間の連結部に制振装置８を介装させてもよい。
【００５３】
図６には、本発明による既存建物の上部増床工法の第６の実施の形態が示されていて、この既存建物の上部増床工法は、図６（ａ）に示すように、複数の大小の建物が建てられている街区の再開発、ヒートアイランド対策に適用したものである。
【００５４】
すなわち、この既存建物の上部増床工法は、前述した第１〜第５の実施の形態によって構築される吊構造支持部３を人工地盤１０としたものであって、図６（ｂ）に示すように、既存建物１に隣接する部分に既存建物１よりも高層の支持構造物２を構築し、図６（ｃ）に示すように、支持構造物２の上部に既存建物１の上方に張り出る吊構造支持部３を構築し、この吊構造支持部３を街区の複数の既存建物１の全体を覆う人工地盤１０とする。そして、図６（ｄ）に示すように、人工地盤１０から下方に順次増床して、各既存建物１の上部空間に増築建物６を構築し、さらに、人工地盤１０の上部に公園、庭園等の緑化施設１１を構築する。
【００５５】
このようにして、既存建物１に居住したままの状態で街区全体の再開発を行うことができるとともに、人工地盤１０の上部に構築した公園、庭園等の緑化施設１１によってヒートアイランド対策を施すこともでき、環境保全に大いに貢献することができる。
【符号の説明】
【００５６】
１    既存建物                  ２    支持構造物
３    吊構造支持部              ４    吊材
５    吊床                      ６    増築建物
７    建替建物                  ８    制振装置
１０  人工地盤                  １１  緑化施設
【図１】
2010163869.tif 000003
【図２】
2010163869.tif 000004
【図３】
2010163869.tif 000005
【図４】
2010163869.tif 000006
【図５】
2010163869.tif 000007
【図６】
2010163869.tif 000008